(57)【要約】【課題】ドライバ及びアイアンのグリップ時に，常に，シャフトを正確にグリップでき，グリップ後にもグリップの校正が可能になるゴルフ用グローブを提供する。【構成】手の甲面と手の平面で構成され，親指，人差し指，中指，薬指，小指が連結されるゴルフ用グローブにおいて，中指，薬指及び小指の手の平面に各々圧指部が形成され，人差し指と手の平の少なくとも一部を通過する把持部が形成され，親指と手の甲の一側に第１表示部及び第２表示部が形成される左手用グローブと，及び中指と薬指の手の平面に圧指部が形成され，人差し指と手の平の少なくとも一部を通過する把持部が形成され，親指の一面に第１表示部が，他面に第２把持部が各々形成される右手用グローブと，からなる。【選択図】　図１
0003097271.tif 000002
【実用新案登録請求の範囲】
【請求項１】
手の甲面と手の平面で構成され，親指，人差し指，中指，薬指，小指が連結されるゴルフ用グローブにおいて，
前記中指，前記薬指及び前記小指の前記手の平面に各々圧指部が形成され，前記人差し指と手の平の少なくとも一部を通過する把持部が形成され，前記親指と前記手の甲の一側に第１表示部及び第２表示部が形成される左手用グローブと，及び
前記中指と薬指の手の平面に圧指部が形成され，前記人差し指と前記手の平の少なくとも一部を通過する把持部が形成され，前記親指の一面に第１表示部が，他面に第２把持部が各々形成される右手用グローブと，からなる，
ことを特徴にするゴルフ用グローブ。
【請求項２】
前記第１の表示部は，グリップ時にシャフトを把持する左手用グローブ及び右手用グローブの上面からユーザの右側肩に向けて位置するように形成される，ことを特徴とする請求項１に記載のゴルフ用グローブ。
【請求項３】
前記第２表示部は，シャフトの把持時ユーザの視線から観察される人差し指と中指に各々位置するように形成される，
ことを特徴とする請求項１に記載のゴルフ用グローブ。
【請求項４】
前記左手用グローブ及び前記右手用グローブに各々形成される圧指部，把持部，第１表示部及び第２表示部は，その表面に突出または陥没されるように形成される段差タイプ，貫通穴タイプ，カラー層タイプ，突起タイプの中から選択されるいずれの１つの素材で構成される，
ことを特徴とする請求項１，２あるいは３項のうちいずれか１項に記載のゴルフ用グローブ。
【考案の詳細な説明】
【０００１】
【考案の属する技術】
本考案は，ゴルフ用グローブに関し，さらに詳細には，グリップを圧指する圧指部とクラブが把持される把持部及びグリップを握った時，外部に表示される表示部をグローブに一体で形成する構成で，ドライバとアイアンのグリップ時にシャフトを正確に握られ易いようにするゴルフ用グローブに関するものである。
【０００２】
【従来の技術】
一般にゴルフにおいてシャフトを把持する方式をグリップと言うが，かかるグリップは，体とクラブを連結するジョイントの役割と，クラブフェースを正しくゴルフボールに向けるように方向付けする役割とがある。また，グリップの方法は，左手はシャフトを人差し指の中節に置かれるようにして，中指，薬指及び小指でコントロールするようになり，右手は中指と薬指がシャフトを握る中心になる。
【０００３】
しかしながら，従来のゴルフグローブは，クラブが手から離れないように密着させる機能（即ち，グローブとシャフトの固定状態にする機能）に重点をおいているため，初心者が使用時に容易に，正確に一貫したグリップをすることができない，という問題があった。
【０００４】
このような問題点を解決するため，大韓民国登録実用新案公報第１６３７９５号に開示されるゴルフグローブは，図１に示したように，左手に使用する本体（１０）の手の平面（１１）に人差し指のはめるところ（１３）から親指をはめるところ（１２）が始まる所の反対側にまでグリップの表示部（２０）を形成するように構成されている。
【０００５】
【考案が解決しようとする課題】
しかしながら，上記ゴルフグローブでは，グリップの表示部により，手とシャフトとの間の一定方向性については維持できるものの，シャフトを把持する指全体に力が加えられ正確なショットが難しい，という問題がある。さらに，グリップ完了時に外部から表示部が見えないので，使用時にグリップ状態が間違っていても正確に校正することができない，という問題がある。
【０００６】
したがって，本考案の目的は，ドライバ及びアイアンのグリップ時に，常に，シャフトを正確にグリップすることが可能な新規かつ改良されたゴルフ用グローブを提供することである。さらに，グリップ後にもグリップの校正が可能になるゴルフ用グローブを提供することである。
【０００７】
【課題を解決するための手段】
上記課題を解決するため，本発明の第１の観点においては，手の甲面と手の平面で構成され，親指，人差し指，中指，薬指，小指が連結されるゴルフ用グローブにおいて，前記中指，前記薬指及び前記小指の前記手の平面に各々圧指部が形成され，前記人差し指と手の平の少なくとも一部を通過する把持部が形成され，前記親指と前記手の甲の一側に第１表示部及び第２表示部が形成される左手用グローブと，及び前記中指と薬指の手の平面に圧指部が形成され，前記人差し指と前記手の平の少なくとも一部を通過する把持部が形成され，前記親指の一面に第１表示部が，他面に第２把持部が各々形成される右手用グローブと，からなる，ことを特徴にするゴルフ用グローブが提供される。
【０００８】
上記記載の発明では，ドライバと，アイアンのグリップ時にシャフトを常に正確にグリップでき，さらに，グリップ完了でもグローブを通して自身のグリップ状態が把握できるので，より正確にグリップ校正することができる。
【０００９】
また，前記第１の表示部は，グリップ時にシャフトを把持する左手用グローブ及び右手用グローブの上面からユーザの右側肩に向けて位置するように形成される，如く構成することができる。
【００１０】
また，前記第２表示部は，シャフトの把持時ユーザの視線から観察される人差し指と中指に各々位置するように形成される，ごとく構成することができる。
【００１１】
また，前記左手用グローブ及び前記右手用グローブに各々形成される圧指部，把持部，第１表示部及び第２表示部は，その表面に突出または陥没されるように形成される段差タイプ，貫通穴タイプ，カラー層タイプ，突起タイプの中から選択されるいずれの１つの素材で構成される，如く構成することができる。
【００１２】
【考案の実施の形態】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１３】
（第１の実施の形態）
まず，図２〜図５に基づいて，本実施形態にかかるゴルフ用グローブの構成について説明する。
【００１４】
本実施形態にかかるゴルフグローブは，図２〜図５に示すように，左手用グローブ（１００）と右手用グローブ（２００）で構成される。
【００１５】
左手用グローブ（１００）は，手の平面（１０１ａ）と手の甲面（１０１ｂ）及び親指（１０２），人差し指（１０３），中指（１０４），薬指（１０５），小指（１０６）で構成され，中指（１０４）と薬指（１０５）及び小指（１０６）の手の平面に圧指部（１１０）が形成され，人差し指（１０３）の２番目節と手の平面（１０１ａ）を通過する直線状の把持部（１２０）が形成される。
【００１６】
また，親指（１０２）の一側に第１表示部（１３０）が，手の甲面（１０１ｂ）の一側に第２表示部（１４０）が各々形成され，把持部（１２０）の端部にシャフト（３００）を覆うような円状の補助把持部（図示せず）が形成される。
【００１７】
圧指部（１１０），把持部（１２０），第１表示部及び第２表示部（１３０）（１４０）の構成材料は，手の甲面及び手の平面の表面に段差タイプ（１１０ａ）と貫通穴タイプ（１１０ｂ），カラー層（１１０ｃ）及び突起タイプ（１１０ｄ）の中から選択できる。
【００１８】
段差タイプ（１１０ａ）は，グローブ（１００）の表面で突出あるいは陥没形成されるように積層され，シャフト（３００）の円周に密着される弧形状の要部が形成される。
【００１９】
また，貫通穴タイプ（１１０ｂ）及び突起タイプ（１１０ｄ）は，グローブの表面に一定間隔で離隔され貫通及び突出形成される。そして，カラー層（１１０ｃ）は，グローブの表面に塗布される多数色のカラーとして構成される。
【００２０】
第１表示部（１３０）は，グリップ時にシャフト（３００）を把持する左手用グローブで一定方向性を持つように形成される。そして，第１表示部（１３０）は，左手用グローブがシャフトを把持する時，ユーザの視線を中心にシャフト（３００）の左側からユーザの右側肩に向けるように直線状に形成され，この時シャフト（３００）の端部はユーザズボンの左側線上に位置するようになる。
【００２１】
第２表示部（１４０）は，シャフト（３００）を把持した時，ユーザの視線から観測可能な手の甲面（１０１ｂ）の一側に各々形成される。右手用グローブ（２００）は，左手用グローブと対称となる同一形状で手の平面（２０１ａ）と手の甲面（２０１ｂ）及び親指（２０２），人差し指（２０３），中指（２０４），薬指（２０５），小指（２０６）で構成され，上記中指（２０４）と薬指（２０５）の手の平面に圧指部（２１０）が形成され，人差し指（２０３）の２番目節と手の平面（２０１ａ）の一側を通過する直線状の把持部（２２０）が形成される。
【００２２】
また，親指（２０２）の上下面一側に第１表示部（２３０）及び第２把持部（２４０）が各々形成される。圧指部（２１０），把持部（２２０）及び第１表示部（２３０），第２把持部（２４０）は，段差タイプ（１１０ａ）と貫通穴タイプ（１１０ｂ）及びカラー層（１１０ｃ），突起タイプ（１１０ｄ）の中から選択できる。
【００２３】
段差タイプ（１１０ａ）は，グローブ（１００）の表面で突出または陥没形成されるように績層され，シャフト（３００）の円周に密着する弧形状の要部が形成される。
【００２４】
また，貫通穴タイプ（１１０ｂ）及び突起タイプ（１１０ｄ）は，グローブの表面に一定間隔で離隔され，貫通及び突出形成される。そして，カラー層（１１０ｃ）は，グローブの表面に塗布される多数色のカラーで構成される。
【００２５】
第１表示部（２３０）は，グリップ時にシャフト（３００）を把持する右手用グローブで一定方向性を持つように形成される。
【００２６】
そして，第１表示部（２３０）は，右手用グローブが左手用グローブ（１００）の親指部を覆うようにシャフト（３００）を把持する時，ユーザの視線を中心にシャフト（３００）の左側でユーザの右側肩に向けるように直線状に形成され，この時，シャフト（３００）の端部は，ユーザズボンの左側シワ上に位置するようになる。
【００２７】
第２把持部（２４０）は，シャフト（３００）を握った時，上部が親指（２０２）の手の平面に形成される構成で成し遂げる。
【００２８】
上記構成の考案の作用を以下に説明する。
【００２９】
図２〜図５に示すように，左手用グローブ（１００）と右手用グローブ（２００）をユーザが着用した状態でゴルフクラブのシャフトを把持すれば左手及び右手の親指の部分に各々形成される第１表示部（１３０），（２３０）がユーザに現れるようになって，この時，ユーザはグリップ状態が正確になったかを知るようになる。
【００３０】
第１表示部（１３０），（２３０）は直線状に形成され，そのグリップ状態はまずシャフトに把持される左手の親指部を右手用グローブ（２００）の第２把持部（２４０）にかばわれる形態でグリップするようになり，この時，左手及び右手用グローブにより，グリップされるシャフト（３００）は，その上段部がユーザの左足シワ上に位置するようになり，両手とシャフトは体前方で“ｙ”字形状を維持することになる。
【００３１】
そして，左手用グローブ及び右手用グローブの上部面に各々形成される第１表示部（１３０）（２３０）がグリップなるシャフト（３００）の左側に相互平行するように位置しながら，各々ユーザの右側肩に向かうように形成されて，グリップ状態の不良を正確に分かるようになる。
【００３２】
また，第１表示部（１３０），（２３０）と，左手用グローブ（１００）の人差し指及び中指の連結部に位置する手の甲の一部（人差し指及び中指の拳）に第２表示部（１４０）を見ることで，正確な把持状態を分かる。加えて，右手用グローブ（２００）に左親指の上部面を覆うように形成される第２把持部（２４０）により，左手及び右手シャフト（３００）の把持順序を正確に分かることができる。
【００３３】
そして，左手用グローブ（１００）及び右手用グローブ（２００）の指の一部手の平面に形成される圧指部（１１０），（２１０）により，指の正確な把持が可能で，ゴルフクラブに加えられる力が正確になりゴルフボールのショット時に，常に一定の飛距離が維持できるようになる。
【００３４】
上記のような圧指部と把持部に力を加えて，ゴルフクラブのシャフト（３００）をグリップすれば，左手用グローブと右手用グローブの第１表示部及び第２表示部を通し正確なグリップ状態を知るようになり，常に一定のグリップが可能となると共に不良なグリップを校正できるようになる。
【００３５】
また，圧指部，把持部，第１表示部及び第２表示部の素材は，段差タイプと貫通穴タイプカラー層，及び突起タイプの中から選択され，外部からの正確な把握が可能になる。
【００３６】
段差タイプは，グローブの表面に突出または陥没形成されるように積層され，そのうち圧指部と把持部に形成される段差は，その一面がシャフト（３００）の円周に密着する弧形状の腰部が形成され，正確に密着可能にする。
【００３７】
また，圧指部，把持部，第１表示部及び第２表示部は，段差タイプ，貫通穴タイプ，突起タイプ，カラー層で形成され，グローブの着用時外部から注視でき，より正確なグリップが可能なようになる。
【００３８】
上記構成の左手及び右手用グローブにより，初心者も簡単で正確なグリップができるようになる。
【００３９】
以上，本考案に係る好適な実施の形態について説明したが，本考案はかかる構成に限定されない。当業者であれば，実用新案登録請求の範囲に記載された技術思想の範囲内において，各種の修正例および変更例を想定し得るものであり，それらの修正例および変更例についても本考案の技術範囲に包含されるものと了解される。
【００４０】
【考案の効果】
ドライバと，アイアンのグリップ時にシャフトを常に正確にグリップでき，さらに，グリップ完了でもグローブを通して自身のグリップ状態が把握できるので，より正確にグリップ校正することができる。
【００４１】
【図面の簡単な説明】
【図１】図１は，従来のゴルフグローブを示した斜視図である。
【図２】図２は，本考案にかかるゴルフグローブ着用状態を示した斜視図である。
【図３】図３（ａ）は，本考案にかかる左手用ゴルフグローブを示した正面図であり，図３（ｂ）はその背面図である。
【図４】図４（ａ）は，本考案にかかる左手用ゴルフグローブを示した正面図であり，図４（ｂ）は，その背面図である。
【図５】図５（ａ），（ｂ），（ｃ），（ｄ），（ｅ）は，本実施形態にかかるゴルフグローブの把持部と圧指部，第１表示部及び第２表示部の素材構成を示す断面図である。
【符号の説明】
１００　　　　　左手用グローブ
１１０，２１０　圧指部
１２０，２２０　把持部
１３０，２３０　第１表示部
１４０　　　　　第２表示部
２００　　　　　右手用グローブ
３００　　　　　クラブ
【図１】
0003097271.tif 000003
【図２】
0003097271.tif 000004
【図３】
0003097271.tif 000005
【図４】
0003097271.tif 000006
【図５】
0003097271.tif 000007